(57)【要約】【課題】展開時にスムーズにパラシュート等を展開できるだけでなく、製造が容易な射出装置および当該射出装置を備える飛行体を提供する。【解決手段】射出装置１００は、ピストン部材１０と、ピストン部材１０を収容し、作動時に当該ピストン部材１０が外方に突出するための孔部１３が設けられたシリンダ１４と、ピストン部材１０により一方向に押し上げられる押し上げ部材１５と、当該押し上げ部材１５により支持されつつ押し上げられる射出物１６と、ピストン部材１０をシリンダ１４内で移動させる動力源としてのガス発生器１７と、ピストン部材１０、シリンダ１４、押し上げ部材１５、射出物１６、およびガス発生器１７を収容する収容器１８と、を備えている。シリンダ１４は突出部２１を備え、収容器１８は第１部材１８ａ１と第２部材１８ａ２とを備えており、突出部２１と、第１部材１８ａ１及び第２部材１８ａ２の底部とは嵌合する。【選択図】図１
2020078973.tif 000002
【特許請求の範囲】
【請求項１】
摺動部材と、
前記摺動部材を内部に収容し、作動時に当該摺動部材が前記内部から外方に突出するための孔部が一端部に設けられ、他端部の開口部または側面の途中から外部に向けて突出するように形成された突出部を有したシリンダと、
少なくとも前記シリンダの一部を覆うように配置された有底筒状部と、前記有底筒状部の開口部または側面の途中部分から外部に向けて突出するように形成された鍔状部とを有し、前記摺動部材により一方向に押し上げられる押し上げ部材と、
前記押し上げ部材の前記鍔状部により支持されつつ押し上げられる射出物と、
前記突出部と嵌合して固定される底部と、前記射出物の側面を保護する側面部とを、それぞれ含む第１部材と第２部材とを少なくとも有している収容器と、
前記摺動部材を前記シリンダ内で前記内部から前記外方に突出するように移動させる動力源と、を備えていることを特徴とする射出装置。
【請求項２】
前記突出部が第１雄部材、前記底部が前記第１雄部材と嵌合する第１雌部材である、または、前記突出部が第２雌部材、前記底部が前記第２雌部材と嵌合する第２雄部材であることを特徴とする請求項１に記載の射出装置。
【請求項３】
前記収容器が、前記底部と反対側に開口部を有した筒状に形成されているものであり、
作動前において前記収容器の前記開口部を密閉し、作動時において開放される蓋が前記収容器の前記開口部に設けられており、
前記突出部の前記底部と嵌合する部分のうち少なくとも一部、または、前記底部の前記突出部と嵌合する部分のうち少なくとも一部にシール部材が設けられていることを特徴とする請求項１または２に記載の射出装置。
【請求項４】
前記収容器が樹脂製であることを特徴とする請求項１〜３のいずれか１項に記載の射出装置。
【請求項５】
機体と、
前記機体に結合される請求項１〜４のいずれか１項に記載の射出装置と、
前記機体に結合され、前記機体を推進させる推進機構と、を備えることを特徴とする飛行体。
【発明の詳細な説明】
【技術分野】
【０００１】
本発明は、パラシュート又はパラグライダー等の射出物を射出する射出装置および当該射出装置を備える飛行体に関する。
【背景技術】
【０００２】
近年、自律制御技術および飛行制御技術の発展に伴って、例えばドローンと呼ばれる複数の回転翼を備えた飛行体の産業上における利用が加速しつつある。ドローンは、例えば複数の回転翼を同時にバランスよく回転させることによって飛行し、上昇および下降は回転翼の回転数の増減によって行い、前進および後進は回転翼の回転数の増減を介して機体を傾けることによって成し得る。このような飛行体は今後世界的に拡大することが見込まれている。
【０００３】
一方で、上記のような飛行体の落下事故のリスクが危険視されており、飛行体の普及の妨げとなっている。こうした落下事故のリスクを低減するために、安全装置として飛行体用パラシュート装置が製品化されつつある。
【０００４】
上記飛行体用パラシュート装置のパラシュート展開装置として、たとえば特許文献１には、主パラシュートのラインに絡まらないようにシュートカバーにパッキングされたパイロットパラシュートを、スプリングを用いて飛ばすことによって、当該パイロットパラシュートに連結された主パラシュートをパラシュート展開装置から引っ張り出して展開させる技術が開示されている。
【先行技術文献】
【特許文献】
【０００５】
【特許文献１】特開２００７−３３１５２５号公報
【発明の概要】
【発明が解決しようとする課題】
【０００６】
上記特許文献１のようなパラシュート展開装置においては、安全性の観点から、パラシュート等の展開のスムーズさが要求されるとともに、製造（組立）の容易さも求められている。
【０００７】
しかしながら、上記従来技術では、パイロットパラシュートが包装されたシュートカバーをスプリングの上に載置しているだけであるため、シュートカバー内のパイロットパラシュートに位置安定性がなく、装置内において安定して収納させることが難しいと考えられる。また、スプリングで飛ばしたパイロットパラシュートを用いて、主パラシュートを引っ張り出すものであるため、装置構成が煩雑であり、装置の組立は容易ではない。
【０００８】
そこで、本発明は、簡易な構成でありながら、展開時にスムーズにパラシュート等を展開できるだけでなく、製造（組立）が容易な射出装置および当該射出装置を備える飛行体を提供することを目的とする。
【課題を解決するための手段】
【０００９】
（１）  本発明に係る射出装置は、摺動部材と、前記摺動部材を内部に収容し、作動時に当該摺動部材が前記内部から外方に突出するための孔部が一端部に設けられ、他端部の開口部または側面の途中から外部に向けて突出するように形成された突出部を有したシリンダと、少なくとも前記シリンダの一部を覆うように配置された有底筒状部と、前記有底筒状部の開口部または側面の途中部分から外部に向けて突出するように形成された鍔状部とを有し、前記摺動部材により一方向に押し上げられる押し上げ部材と、前記押し上げ部材の前記鍔状部により支持されつつ押し上げられる射出物と、前記突出部と嵌合して固定される底部と、前記射出物の側面を保護する側面部とを、それぞれ含む第１部材と第２部材とを少なくとも有している収容器と、前記摺動部材を前記シリンダ内で前記内部から前記外方に突出するように移動させる動力源と、を備えていることを特徴とする。
【００１０】
上記（１）の構成によれば、展開時にスムーズにパラシュート等を展開できるだけでなく、製造時には、最後に収容器を形成することができるので、装置各部の製造（組立）・設置作業がしやすくなる。その結果として、従来よりも製造（組立）しやすい射出装置を提供できる。
【００１１】
（２）  上記（１）の射出装置において、前記突出部が第１雄部材、前記底部が前記第１雄部材と嵌合する第１雌部材である、または、前記突出部が第２雌部材、前記底部が前記第２雌部材と嵌合する第２雄部材であることが好ましい。
【００１２】
上記（２）の構成によれば、従来よりも製造（組立）しやすいだけでなく、シリンダにおける突出部と収容器における底部とを介して、シリンダと収容器とを容易に一体化することができる。
【００１３】
（３）  上記（１）または（２）の射出装置において、前記収容器が、前記底部と反対側に開口部を有した筒状に形成されているものであり、作動前において前記収容器の前記開口部を密閉し、作動時において開放される蓋が前記収容器の前記開口部に設けられており、前記突出部の前記底部と嵌合する部分のうち少なくとも一部、または、前記底部の前記突出部と嵌合する部分のうち少なくとも一部にシール部材が設けられていることが好ましい。
【００１４】
上記（３）の構成によれば、収容器を密閉することができるので、射出物及び射出装置部分を湿気から保護することができる。
【００１５】
（４）  上記（１）〜（３）の射出装置においては、前記収容器が樹脂製であることが好ましい。
【００１６】
上記（４）の構成によれば、収容器の第１部材および第２部材を加工しやすいだけでなく、取り付けやすいので、より従来よりも製造（組立）しやすいものとすることができる。
【００１７】
（５）  本発明に係る飛行体は、機体と、前記機体に結合される上記（１）〜（４）のいずれか１つの射出装置と、前記機体に結合され、前記機体を推進させる推進機構と、を備えるものである。
【００１８】
上記（５）の構成によれば、簡易な構成でありながら、展開時にスムーズにパラシュート等を展開できるだけでなく、製造（組立）が容易な射出装置を備えた飛行体を提供できる。
【図面の簡単な説明】
【００１９】
【図１】（ａ）は本発明の第１実施形態に係る射出装置を示す模式断面図、（ｂ）は（ａ）の射出装置を収容器の底部側から見た場合の平面図である。
【図２】図１の射出装置における収容器の組立工程の一つを示す図であって、収容器の底部側から見た場合の平面図である。
【図３】図１の射出装置が適用される飛行体を示す図である。
【図４】（ａ）は本発明の第２実施形態に係る射出装置を示す模式断面図、（ｂ）は（ａ）の射出装置を収容器の底部側から見た場合の平面図である。
【図５】図４の射出装置における収容器の組立工程の一つを示す図であって、収容器の底部側から見た場合の平面図である。
【図６】（ａ）は図１の射出装置の変形例を示す模式断面図、（ｂ）は（ａ）における包装体の平面図（下側から見た場合の図）である。
【００２０】
以下、本発明の実施形態に係る射出装置について、図面を参照しながら説明する。
【００２１】
（第１実施形態）
図１に示すように、本実施形態に係る射出装置１００は、摺動部材であるピストン部材１０と、当該ピストン部材１０を収容し、作動時に当該ピストン部材１０が外方（図１では上方向）に突出するための孔部１３が設けられたシリンダ１４と、ピストン部材１０により一方向（図１では上方向）に押し上げられる押し上げ部材１５と、当該押し上げ部材１５により支持されつつ押し上げられる射出物１６と、ピストン部材１０をシリンダ１４内で移動させる動力源としてのガス発生器（マイクロガスジェネレータ等）１７と、ピストン部材１０、シリンダ１４、押し上げ部材１５、射出物１６、およびガス発生器１７を収容する収容器１８と、を備えている。ここで、一変形例として、ガス発生器１７の代わりに、バネ等の弾性体を用いてもよい。
【００２２】
ガス発生器は、シリンダ１４内のピストン部材１０の下部に挿入されており、ガス発生器の先端部には、ガス噴出口が設けられている。これにより、ガス発生器は、電気信号による点火によって、シリンダ１４内においてピストン部材１０を外方（図１では上方向）に向けて移動させる推進力となるガスを発生する。また、シリンダ１４内の内壁部とガス発生器の外壁部との間には、ガス発生器の作動時にガス漏れが発生しないようにＯリングなどのシール部材が設けられていてもよい。
【００２３】
ガス発生器は、点火薬（推進薬）を含む点火器を内部に有しており、必要に応じてガス発生剤またはこれに加えて伝火剤等の推進薬やフィルターなどをさらに有した火薬式のものであってもよい。
【００２４】
ガス発生剤は還元剤、酸化剤、添加剤、スラグ形成剤等を含む。還元剤としては、たとえばトリアゾール誘導体、テトラゾール誘導体、グアニジン誘導体、アゾジカルボンアミド誘導体、ヒドラジン誘導体等又はこれらの組み合わせが利用される。具体的には、たとえばニトログアニジン、硝酸グアニジン、シアノグアニジン、５−アミノテトラゾール等が好適に利用される。また、酸化剤としては、たとえば塩基性硝酸銅等の塩基性硝酸塩、過塩素酸アンモニウム、過塩素酸カリウム等の過塩素酸塩、又は、アルカリ金属、アルカリ土類金属、遷移金属、アンモニアから選ばれたカチオンを含む硝酸塩等が利用される。硝酸塩としては、たとえば硝酸ナトリウム、硝酸カリウム等が好適に利用される。また、添加剤としては、バインダ、スラグ形成剤、燃焼調整剤等が挙げられる。バインダとしては、たとえばカルボキシメチルセルロースの金属塩、ステアリン酸塩等の有機バインダ、又は、合成ヒドロキシタルサイト、酸性白土等の無機バインダが好適に利用可能である。スラグ形成剤としては窒化珪素、シリカ、酸性白土等が好適に利用可能である。また、ニトロセルロースを主成分としたシングルベース火薬、ダブルベース火薬、トリプルベース火薬を用いても良い。
【００２５】
ガス発生剤の成形体の形状には、顆粒状、ペレット状、円柱状等の粒状のもの、ディスク状のものなど様々な形状のものがある。また、円柱状のものでは、成形体内部に貫通孔を有する有孔状（たとえば単孔筒形状又は多孔筒形状等）の成形体も利用される。また、ガス発生剤の形状の他にもガス発生剤の線燃焼速度、圧力指数などを考慮に入れて成形体のサイズおよび充填量を適宜選択することが好ましい。
【００２６】
ここで、ガス発生器の他の変形例として、火薬式の点火器で小型のガスボンベにおける封板を開裂させ、内部のガスを外部へと排出するハイブリッド型、ストアード型のガス発生器を用いてもよい。この場合、ガスボンベ内の加圧ガスとしては、アルゴン、ヘリウム、窒素、二酸化炭素などの不燃性のガスあるいはこれらの混合物を用いることができる。また、加圧ガスが放出される際に確実にピストンを推進させるために、火薬式の発熱体をガス発生器に具備させてもよい。
【００２７】
図１では、押し上げ部材１５は上方向に向けて凸型となっているが、凸型ではなく平板形状でもよい。
【００２８】
なお、本実施形態において、射出物１６は、図１の模式図に示したように、パラシュート又はパラグライダー１６ａと、所定の形態（たとえば平面上で少なくとも２重以上に折り返して折り畳まれたものを、包装体１６ｂの内部形状に合わせて筒状に形成したもの）に折り畳まれたパラシュート又はパラグライダー１６ａを内包する包装体１６ｂと、を備えている。例えば、パラシュート又はパラグライダー１６ａは、中心に対して対称的に折り畳まれた状態で内包されていてもよい。また、ドーム形状の基布を有したパラシュートの場合、中心に対して蛇腹状に折り畳んだものであってもよい。さらには、細長いシングルサーフェースの基布を有したパラグライダーの場合、中心に対して両端からそれぞれ幾重にも折り返して折り畳んだものであってもよい。
【００２９】
包装体１６ｂは、図１（ａ）に示したように、押し上げ部材１５の有底筒状部１９が貫通する貫通穴を中央部に有した環状の筒体である。また、図１における包装体１６ｂの下部は、支持部２０に支持された状態である（接触している状態である）。
【００３０】
また、包装体１６ｂは、パラシュート又はパラグライダー１６ａを包装体１６ｂ外部に開放する開放機構を有している。パラシュート又はパラグライダー１６ａは収容器１８又は飛行体に連結されている。前記開放機構は、その機構に特段の限定はないが、例えば、パラシュート又はパラグライダー１６ａがラインによって収容器１８又は飛行体に連結されている場合、射出物１６が射出されると前記ラインにラインテンションがかかることで包装体１６ｂが自動的に解放され、包装体１６ｂの開放によりさらに強まるラインテンションにより、パラシュート又はパラグライダー１６ａが解放されるというものが挙げられる。また、収容器１８に連結された射出物１６が射出される際、その連結部から包装体１６ｂが開く、まはた、破れる、等により、パラグライダー又はパラグライダー１６ａが解放される機構でもよい。また、パラグライダー装置からの射出後に必要に応じて強制的にキャノピーを開傘するキャノピーの展開装置を備えていてもよい。なお、このキャノピーの展開装置は、キャノピーを展開させる力を発生させる駆動源を有しており、この駆動源としては、巻きバネなどのバネの力を利用したもの、または、ガス発生器などによって発生させたガスの圧力を利用したものなどが挙げられる。
【００３１】
ガス発生器１７は、電源と通じているソケット（図示せず）に接続可能な一対の電極ピン１７ａを有し、シリンダ１４の下方の開口端に圧入された状態で、ピストン部材１０の後述の本体部１１の下方に配置されている。また、シリンダ１４の下部には、開口端から外部に向けて突出するように鍔状に形成された突出部２１が設けられている。ここで、一変形例として、突出部２１は、シリンダ１４の側面の途中部分から外部に向けて突出するように形成されたものであってもよい。
【００３２】
収容器１８は、底部中心に穴部２８を形成する第１部材１８ａと第２部材１８ｂとを備え、全体が筒状のものである。第１部材１８ａは、半筒状のものであり、突出部２１（雄部材）と嵌合する凹部２６を有した底部１８ａ１（雌部材）と、射出物１６の側面を保護する側面部１８ａ２とを有している。第２部材１８ｂは、第１部材１８ａと同様に、半筒状のものであり、突出部２１（雄部材）と嵌合する凹部２７を有した底部１８ｂ１（雌部材）と、射出物１６の側面を保護する側面部１８ｂ２とを有している。凹部２６、２７のそれぞれは、穴部２８内周側から外周側に向かって凹んでいる半環状の溝部であり、第１部材１８ａと第２部材１８ｂとによって、図１に示したように収容器１８が形成された場合、環状の溝部を形成することができ、この溝部に突出部２１の外周縁部から中心に向かって途中部分までを嵌合しておくことで、シリンダ１４と収容器１８とを突出部２１を介して一体化できるようになっている。なお、図２では収容器１８は２分割されているが、２分割は真半分でなくてもよく、又２分割以上（例えば、３分割とか）であってもよく、また、等分に分割されたものでなくてもよい。
【００３３】
なお、図２に示したように、射出物１６を押し上げ部材１５にセッティングして前駆体を形成した後に、白抜き矢印の方向に第１部材１８ａと第２部材１８ｂとを移動させ、凹部２６、２７に突出部２１を嵌合しつつ挟み込むことで、図１の射出装置を組み立てることができるようになっている。ここで、凹部２６、２７と突出部２１とは、接着剤などで接着固定されてもよい。また、底部１８ａ１と底部１８ｂ１との継ぎ目を接着剤などで接着固定することとしてもよい。
【００３４】
ピストン部材１０は、シリンダ１４の内径とほぼ同じ外径の部分を備える本体部１１と、この本体部１１に接続され、上方に延びかつ本体部１１よりも小径の棒状部１２と、を有している。棒状部１２の上端は、シリンダ１４の孔部１３を介して押し上げ部材１５の後述の有底筒状部１９の上端内面に固定されている。また、シリンダ１４内の上部には、ピストン部材１０の棒状部１２の一部を取り囲むように配置されたストッパー２３が設けられている。すなわち、棒状部１２はストッパー２３に挿通された状態で配されている。このことによって、ピストン部材１０が上方に移動した際に、本体部１１がストッパー２３に接触して停止することで、本体部１１がシリンダ１４内から外方に放出されないようになっている。
【００３５】
また、図１に示すように、押し上げ部材１５は、シリンダ１４の一部、つまり当該シリンダ１４のうちガス発生器１７が配されている開口端を除く外側の部分を覆うように配置された有底筒状部１９と、当該有底筒状部１９の開口縁部にフランジ（鍔状部）として設けられ射出物１６を支持する円盤状の支持部２０と、を有している。このような構成において、支持部２０の底部は、初期状態で収容器１８の底部内面側に当接するように設けられている。また、支持部２０の外周部は、収容器１８の内側に接触しないように形成されている。
【００３６】
ここで、図１（ｂ）に示すように、シリンダ１４の底部には、シリンダ１４と押し上げ部材１５と収容器１８とに囲まれた空間２５と外部とを連通する複数の通気孔２４が設けられている。各通気孔２４は、押し上げ部材１５が収容器１８内において急速で移動する際には、当該押し上げ部材１５と空間２５との間の領域に負圧が生じる。そのため、押し上げ部材１５を移動させ難くなる。そこで、上記通気孔２４を設けることで、負圧現象を低減することができ、押し上げ部材１５をスムーズに移動させることが可能となる。
【００３７】
また、射出物１６は、収容器１８内において当該収容器１８の内面と押し上げ部材１５の有底筒状部１９の外側面との間に、たとえば有底筒状部１９の外面を覆うように収容されている。また、射出物１６は、その外側が収容器１８の内側に接触しないように収容されている。なお、射出物１６は、たとえば紐（図示略）の一端に接続されており、当該紐の他端は収容器１８内部又は後述する飛行体３０の機体３１に接続される。
【００３８】
以上のような構成において、射出装置１００が搭載されるたとえば飛行体などが落下する際にガス発生器１７が作動すると、当該作動により発生するガスの圧力によってピストン部材１０がシリンダ１４内を上方に推進する。これにより、ピストン部材１０の棒状部１２に接続された有底筒状部１９を有する押し上げ部材１５が収容器１８内において上方に推進する。これによって、射出物１６が収容器１８内から外方（図１紙面の上方向）に射出される。射出物１６が射出された場合、前記開放機構によって、パラシュート又はパラグライダー１６ａを包装体１６ｂの内部から外部に開放（放出）し、パラシュート又はパラグライダー１６ａを展開させる。
【００３９】
なお、射出装置１００は、図１、図３に示したように、飛行体３０の機体３１に連結部材４０を介して連結固定されている。このとき、図１に示したように、連結部材４０は、通気孔２４を閉塞しない位置において、収容器１８と機体３１とを連結している。したがって、飛行体３０は、機体３１と、当該機体３１に結合される射出装置１００と、機体３１に結合され、当該機体３１を推進させる１つ以上の推進機構（たとえばプロペラ等）３２と、機体３１の下部に設けられた複数の脚部３３と、を備えている。ここで、実際には、ガス発生器１７の下部の電極（図示せず）に通電用のソケットが嵌合されているが、説明の便宜上、図３においては省略して表現している。
【００４０】
以上のように、本実施形態によれば、簡易な構成でありながら、展開時にスムーズにパラシュート又はパラグライダー１６ａを展開できるだけでなく、製造時には、最後に収容器１８を形成することができるので、各部の製造・設置作業がしやすくなる。その結果として、従来よりも製造（組立）しやすい射出装置１００を提供できる。
【００４１】
また、本実施形態によれば、容易に押し上げ部材１５に対する射出物１６の位置決めをすることができるので、射出装置１００の製造（組立）がしやすい。また、作動した押し上げ部材１５の有底筒状部１９で射出物１６の凹部１６ｂ１を押し上げることができる（射出物１６の底部を支持部２０に設置する設計とすれば、押し上げ部材１５の支持部２０で射出物１６の底部も押し上げることができる）ので、容易に、押し上げ部材１５の有底筒状部１９の軸方向に向けて射出物１６を射出することができる。すなわち、装置作動時における射出物１６の射出方向を予め決定した状態で、射出装置１００を製造（組立）することができる。
【００４２】
また、本実施形態によれば、ピストン部材の上方又は前方に射出物の全体が配置されている構造に比べて、射出物１６を収容するスペースを省スペース化することができる。これによって、従来よりもコンパクト化できるため、軽量化を図ることができる。また、ピストン部材１０がシリンダ１４内を移動する分、押し上げ部材１５の支持部２０が移動して射出物１６を押し上げるためのストロークが十分に確保される。その結果として、十分に射出物１６は加速され、当該射出物１６の射出速度を低下させることがない。したがって、本実施形態の射出装置１００によれば、射出物１６の射出速度を低下させることなく、軽量化を図ることが可能となる。
【００４３】
また、本実施形態では、射出物１６のほとんどの部分は、収容器１８内において当該収容器１８の内面と有底筒状部１９の外面との間に収容されている。このことによって、射出物１６を収容するスペースを省スペース化することができ、射出装置１００が大きくなってしまうことが回避されるため、当該射出装置１００の軽量化が図られる。
【００４４】
さらに、本実施形態では、ガス発生器１７がシリンダ１４に圧入されることによって、当該ガス発生器１７を強固に固設することができる。
【００４５】
（第２実施形態）
次に、第２実施形態に係る射出装置について説明する。なお、本実施形態において、上述の第１実施形態と下２桁が同じ符号の部位は、特に説明する場合を除き、第１実施形態で説明したものと同様であるので説明を省略する。また、特に説明していない部位は、第１実施形態と同様であるので、説明および図示を省略することがある。また、第２実施形態においては、原則として、第１実施形態と異なる点を中心に説明する。
【００４６】
図４（ａ）、（ｂ）に示したように、本実施形態の射出装置２００においては、雌部材であった第１実施形態の収容器１８（第１部材１８ａ、第２部材１８ｂ）の代わりに、雄部材の収容器１１８（第１部材１１８ａ、第２部材１１８ｂ）が用いられている点と、雄部材であった突出部２１の代わりに雌部材である突出部１２１が用いられている点と、押し上げ部材１１５の支持部１２０が突出部１２１の上側の面に接している点、通気孔１２４が支持部１２０の下側の面と直に接している点で、第１実施形態と異なっている。
【００４７】
第１部材１１８ａには、突出部１２１に対して雄部材となる板状の底部１１８ａ１が扇形状に形成されて設けられている。また、第２部材１１８ｂには、突出部１２１に対して雄部材となる板状の底部１１８ｂ１が扇形状に形成されて設けられている。
【００４８】
突出部１２１には、外周縁部から中心に向かって途中まで凹んでいる凹部１２６が環状に設けられている。なお、第１部材１１８ａと第２部材１１８ｂとによって、図４（完成図）、図５（前駆体に第１部材１１８ａと第２部材１１８ｂとを嵌合する前の図）に示したように収容器１１８が形成される場合において、凹部１２６には、第１部材１１８ａの底部１１８ａ１および第２部材１１８ｂの底部１１８ｂ１の内周縁部から外周部に向かって途中部分までが嵌合するようになっている。ここで、凹部１２６と、底部１１８ａ１および底部１１８ｂ１とは、接着剤などで接着固定されてもよい。また、底部１１８ａ１と底部１１８ｂ１との継ぎ目を接着剤などで接着固定することとしてもよい。
【００４９】
本実施形態によれば、第１実施形態と同様の効果を奏することができる。
【００５０】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
上記各実施形態では、動力源としてガス発生器を採用したが、摺動部材がシリンダ内を推進するための駆動力を当該摺動部材に付与することが可能なものであればその構成は限定されるものではなく、たとえばバネ等の弾性体を採用してもよい。
【００５２】
また、第１実施形態では、押し上げ部材１５の支持部２０を、収容器１８の底部に当接するように設けた。しかし、これに限定されるものではない。たとえば、支持部２０をピストン部材１０の棒状部１２の長さ方向における中間付近に配置してもよい。
【００５３】
また、上記各実施形態では、棒状部の上端を、押し上げ部材の有底筒状部の上端内面に固定することとしたが、これに限らず、棒状部の上端を前記内面に固定しなくともよい。
【００５４】
また、上記各実施形態においては、収容器の射出物の射出方向における下流側の端部、つまり収容器の上端に蓋が設けられていてもよい。この蓋の端部の一部は、蓋開閉機構に開閉可能に軸支されていてもよい。なお、この蓋開閉機構は、ガス発生器の作動に合わせて、モータなどの駆動装置によって自動で上記蓋を開放するものであってもよい。このような蓋がある場合、当該蓋が押し上げ部材の上方部によって押し上げられ、開放されると共に、射出物が射出されるが、装置の作動前は、射出物を外部環境から保護することができる。また、突出部２１と凹部との間のうち少なくとも一部にシール部材（ゴムパッキンなど）が設けられていてもよい。これにより、上記蓋とともに外部環境の湿気から射出物を遮断することができる。なお、湿気のことを考慮しないでいい場合、収容器は必ずしも密閉されている必要はなく、筒状に形成されていなくてもよいし、上記第１部材と上記第２部材との間に隙間があってもよい。
【００５５】
また、上記蓋を蝶番、スナップイン方式、またはサーボモータ等の蓋開閉機構によって開閉可能に収容器に設けることとしてもよいし、上記蓋を収容器に圧入して設けてもよい。この場合、蓋の落下を防止するため、当該蓋を紐などによって収容器に連結しておくことが望ましい。
【００５６】
また、上記各実施形態では、収容器を円筒状に形成したが、これに限定されるものではなく、たとえば四角筒のような他の形状に形成してもよい。
【００５７】
また、上記各実施形態におけるピストン部材をテレスコピック構造として構成してもよい。
【００５８】
さらに、上記各実施形態では、射出物として、パラシュート又はパラグライダーを挙げたが、これに限らず、揚力発生部材を含むものを射出物として射出してもよい。揚力発生部材としては、たとえば、パラフォイル、ロガロ型パラシュート、シングルサーフェース型パラシュート、飛行機の翼、プロペラ、バルーン等が挙げられる。また、揚力発生部材がコントロールラインを有する場合、射出装置は、コントロールラインを利用して、射出した揚力発生部材の傾斜角度の変更などを行うことができる操舵機構を備えておくことが望ましい。この操舵機構は、たとえば、揚力発生部材に連結された複数のコントロールラインをそれぞれ巻き取る複数のリールと、これらのリールの動力となるモータと、を備えたものであり、モータの駆動により、コントロールラインを巻き取ったり、出したりすることで、適宜、揚力発生部材を引っ張ったり、引っ張りを緩めたりすることができる。
【００５９】
また、上記各実施形態においては通気孔を収容器の底部に設けたが、この位置に限られない。作動時に収容器と押し上げ部材との間で発生する負圧を抑制することができる位置であれば、どの位置でもよい。
【００６０】
また、上記各実施形態では、シリンダ、動力源、および収容器は、機体にゴムバンド、ベルト、ひも、その他（機械的接合、ボルト、ファスナー、接着剤）等の手段により固定されていることが好ましい。
【００６１】
また、上記各実施形態において、射出物を支持する支持部の形状は、円盤状（円、楕円を含む）、多角形、放射状のいずれであってもよい。なお、支持部の形状が楕円または多角形の場合、収容器の内面は支持部の外周部に沿って形成されることが望ましい。
【００６２】
また、第１実施形態において、突出部２１は鍔状に形成したが、収容器１８の底部１８ａ１、１８ｂ１の凹部２６、２７と嵌合する形状に形成されていれば、突出部２１はどのような形状であってもよい。たとえば、突出部が対称的に設けられた一対の棒状部材（雄部材）で、当該棒状部材が嵌合する穴部である凹部をそれぞれ有した第１部材の底部、第２部材の底部（雌部材）であってもよい。
【００６３】
また、第２実施形態において、収容器１１８の底部１１８ａ１、１１８ｂ１のそれぞれを板状に形成したが、突出部１２１の凹部１２６と嵌合する形状に形成されていれば、底部１１８ａ１、１１８ｂ１はどのような形状であってもよい。たとえば、第１部材の底部、第２部材の底部のそれぞれの内周部の一部に設けられた突部材（雄部材）で、当該突部材が嵌合する穴部である凹部を有した突出部（雌部材）であってもよい。
【００６４】
また、上記第１実施形態における包装体に代えて、図６に示した包装体２１６ｂを用いてもよい。具体的には、図６（ｂ）に示したように、中央部に凹部３１６ｂ１が形成された有底の略筒状のものであってもよい。ここで、凹部３１６ｂ１は、図６（ａ）に示したように、シリンダ２１４と嵌合可能な部位である。また、図６（ａ）における包装体２１６ｂの下部は、支持部２２０に支持された状態ではない（接触していない状態である）が、支持された状態（接触した状態）となるように、包装体２１６ｂの大きさを変更してもよい。なお、本変形例に係る射出装置３００において、上述の第１実施形態と下２桁が同じ符号の部位は、第１実施形態で説明したものと同様であるので説明を省略している。また、特に説明していない部位は、第１実施形態と同様であるので、説明および図示を省略している。また、本変形例の包装体２１６ｂは、第２実施形態の包装体１１６ｂについても代用可能である。
【符号の説明】
【００６５】
１０、１１０、２１０    ピストン部材
１１、１１１、２１１    本体部
１２、１１２、２１２    棒状部
１３、１１３、２１３    孔部
１４、１１４、２１４    シリンダ
１５、１１５、２１５    押し上げ部材
１６、１１６、２１６    射出物
１６ａ、１１６ａ、２１６ａ  パラグライダーまたはパラグライダー
１６ｂ、１１６ｂ、２１６ｂ  包装体
１７、１１７、２１７    ガス発生器
１８、１１８、２１８    収容器
１８ａ１、１８ｂ１、１１８ａ１、１１８ｂ１、２１８ａ１、２１８ｂ１    底部
１８ａ２、１８ｂ２、１１８ａ２、１１８ｂ２、２１８ａ２、２１８ｂ２    側面部
１９、１１９、２１９    有底筒状部
２０、１２０、２２０    支持部
２１、１２１、２２１    突出部
２３、１２３、２２３    ストッパー
２４、１２４、２２４    通気孔
２５、２２５    空間
２６、２７、１２６、２１６ｂ１、２２６    凹部
３０    飛行体
３１    機体
３２    推進機構
３３    脚部
４０    連結部材
１００、２００、３００    射出装置
【図１】
2020078973.tif 000003
【図２】
2020078973.tif 000004
【図３】
2020078973.tif 000005
【図４】
2020078973.tif 000006
【図５】
2020078973.tif 000007
【図６】
2020078973.tif 000008